(57)【特許請求の範囲】
【請求項１】
天井・床・壁面等に取り付けられるターンバックルの如き支持部材の脚部に、一対の配管抱持バンドの両端を延長した一対の支持片部を、前記脚部と該支持片部の重合する位置に穿設された透孔に掛止具を挿通して係止することにより固定する構成の配管支持具において、前記掛止具は、先端部分に引掛部を有すると共に軸部を介して回動可能に軸支された梃子操作部を後端部に有し、前記一対の支持片部に穿設された透孔は、前記掛止具の引掛部を挿通可能であると共に掛止具の向きを変えたときに該掛止具の引掛部が引っ掛かる形状の少なくとも一部が拡大した異形孔であり、前記脚部に穿設された透孔は、支持片部の異形孔と同形乃至は異形孔より大きい透孔であり、前記掛止具の先端部分の引掛部と後端部の梃子操作部によって脚部及び一対の支持片部を挟着状態に固定する構成であることを特徴とする配管支持具。
【請求項２】
前記掛止具の引掛部が、膨大、屈曲、打ち抜きのいずれかの方法により突起状に形成された構成であることを特徴とする請求項１に記載の配管支持具。
【請求項３】
天井・床・壁面等に取り付けられるターンバックルの如き支持部材の脚部に、一対の配管抱持バンドの両端を延長した一対の支持片部を、前記脚部と該支持片部の重合する位置に穿設された透孔に掛止具を挿通することにより係止固定する配管支持具の取付機構において、前記脚部と一対の支持片部が重合する部分に穿設されている少なくとも一部が拡大した異形孔である透孔に、先端部分に引掛部を有する掛止具を特定の向きで挿通し、該掛止具を挿通時とは異なる向きに回動させて引掛部を透孔の縁部に引っ掛けて逆戻り脱落を防止し、掛止具の後端部に軸部を介して回動可能に軸支されている梃子操作部を回動して梃子機能を作用させることにより、引掛部と梃子操作部によって脚部及び一対の支持片部を挟着状態に固定することを特徴とする配管支持具の取付機構。
【請求項４】
支持部材の脚部の透孔に掛止具を挿通し、該掛止具を挿通時とは異なる向きに回動させることにより該掛止具の引掛部が該脚部の透孔に引っ掛かることにより、一方の支持片部を開放した状態で他方の支持片部と支持部材の脚部とを仮固定できる構成であることを特徴とする請求項３に記載の配管支持具の取付機構。
【請求項５】
前記掛止具の引掛部が、膨大、屈曲、打ち抜きのいずれかの方法により突起状に形成された構成であることを特徴とする請求項３又は４に記載の配管支持具の取付機構。
【発明の詳細な説明】
【０００１】
【発明の属する技術分野】
本発明は、配管支持具及び取付機構に関し、詳しくは水道管、ガス管、空調用冷熱媒管、電気・通信ケーブル用管などの配管を天井、壁、床等に支持するのに利用される配管用立てバンド又は配管用吊りバンド形式の配管支持具及びその取付機構に関するものである。
【０００２】
【従来の技術】
配管用吊りバンドとしては、例えば、図８に示す構成が広く利用されている。
このタイプのものは原形が実公昭２９−１２４８０号公報に開示されている。このタイプの配管用吊りバンドは、吊りボルトの上端を天井スラブに埋め込んだインサートの雌ネジに固定し、この吊りボルトにナットを介して支持部材であるターンバックルを高さ調節自在に取り付け、更にこのターンバックルの脚部にヒンジ機構１５’で連結されている配管抱持バンド１１’・１２’のそれぞれの端部である支持片部１３’・１４’をボルト及びナットで締め付けることにより配管を固定する構成である。この構成を変形した様々なタイプのものが提案ないし実施されている。
【０００３】
実際の作業では、図示の配管用吊りバンドを天井スラブに埋め込んだインサートに固定する作業を前もって行っておき、次いで、実際に配管を固定する作業を行う。配管を固定する際には、ナットを一度取り去って、一方の配管抱持バンド１２’の側を解放し、配管を内側に通して後、この配管抱持バンド１２’を原位置に戻してナットによる締め付けを行う。
【０００４】
一方、従来の立てバンドは、実公昭５４−４５５３６号、実開昭５７−１９０９７８号公報等に記載されている。その構成は２組のボルト・ナットによって止めるか、又は１組のボルト・ナットと係止部によって止めるようになっている。
【０００５】
【発明が解決しようとする課題】
図８に示す配管用吊りバンドにおいて、ターンバックルの脚部及び配管抱持バンド１１’・１２’の端部に用意されているボルト孔が所謂バカ穴であるために、配管を取り付ける段階でナットを取り去って、一方の配管抱持バンド１２’を仮想線で示す状態に解放させると、ボルトがターンバックルの脚部から脱落してしまうことがしばしば生じている。このため、一方の配管抱持バンド１２’を解放するために取り外したナットを再びボルトに取り付ける仮止めが必要であった。
【０００６】
この点、作業性を改善した技術として次の構成が知られている。即ち、
（１）実開昭５９−１７４４７５号公報に示される技術は、ターンバックルと配管抱持バンドとを締め付けバンドでリベット接合している。
（２）実公昭５６−３５５８８号公報に示される技術は、ターンバックルと配管抱持バンドとを一体成形すると共に、配管抱持バンドの根本に穿設した孔に、配管抱持バンドの先端に設けた突起を掛け止めする構成である。
（３）実開平４−１０７５９２号公報に示される技術は、ターンバックルと下端解放部の一方にボルトナットを回動自在に固定しておき、配管抱持バンドの下端解放部の他方に設けた切欠部に挿入して締め付ける構成である。
（４）実開昭６３−４５２８１号公報に示される技術は、ターンバックルを配管抱持バンド兼用とすると共に、配管抱持バンドの先端に回動自在に固定したナットでターンバックルに螺合される全ネジ支持棒にネジ止めする構成である。
【０００７】
しかしながら、上記（１）〜（４）に示す技術では、作業性の改善が不充分であり更なる改善の余地がある。
【０００８】
本発明は、上記に鑑み、使い勝手がよく片手による作業が容易である立てバンド形式又は吊りバンド形式の配管支持具及び取付機構を提供することにある。
【０００９】
【課題を解決するための手段】
本発明の上記課題は、下記構成によって達成される。
【００１０】
１．天井・床・壁面等に取り付けられるターンバックルの如き支持部材の脚部に、一対の配管抱持バンドの両端を延長した一対の支持片部を、前記脚部と該支持片部の重合する位置に穿設された透孔に掛止具を挿通して係止することにより固定する構成の配管支持具において、前記掛止具は、先端部分に引掛部を有すると共に軸部を介して回動可能に軸支された梃子操作部を後端部に有し、前記一対の支持片部に穿設された透孔は、前記掛止具の引掛部を挿通可能であると共に掛止具の向きを変えたときに該掛止具の引掛部が引っ掛かる形状の少なくとも一部が拡大した異形孔であり、前記脚部に穿設された透孔は、支持片部の異形孔と同形乃至は異形孔より大きい透孔であり、前記掛止具の先端部分の引掛部と後端部の梃子操作部によって脚部及び一対の支持片部を挟着状態に固定する構成であることを特徴とする配管支持具。
【００１１】
２．前記掛止具の引掛部が、膨大、屈曲、打ち抜きのいずれかの方法により突起状に形成された構成であることを特徴とする上記１又は２に記載の配管支持具。
【００１２】
３．天井・床・壁面等に取り付けられるターンバックルの如き支持部材の脚部に、一対の配管抱持バンドの両端を延長した一対の支持片部を、前記脚部と該支持片部の重合する位置に穿設された透孔に掛止具を挿通することにより係止固定する配管支持具の取付機構において、前記脚部と一対の支持片部が重合する部分に穿設されている少なくとも一部が拡大した異形孔である透孔に、先端部分に引掛部を有する掛止具を特定の向きで挿通し、該掛止具を挿通時とは異なる向きに回動させて引掛部を透孔の縁部に引っ掛けて逆戻り脱落を防止し、掛止具の後端部に軸部を介して回動可能に軸支されている梃子操作部を回動して梃子機能を作用させることにより、引掛部と梃子操作部によって脚部及び一対の支持片部を挟着状態に固定することを特徴とする配管支持具の取付機構ないし取付方法。
【００１３】
４．支持部材の脚部の透孔に掛止具を挿通し、該掛止具を挿通時とは異なる向きに回動させることにより該掛止具の引掛部が該脚部の透孔に引っ掛かることにより、一方の支持片部を開放した状態で他方の支持片部と支持部材の脚部とを仮固定できる構成であることを特徴とする上記３に記載の配管支持具の取付機構ないし取付方法。
【００１４】
５．前記掛止具の引掛部が、膨大、屈曲、打ち抜きのいずれかの方法により突起状に形成された構成であることを特徴とする上記３又は４に記載の配管支持具の取付機構ないし取付方法。
【００１５】
【発明の実施の形態】
以下、本発明の具体的構成について説明する。
図１は本発明に係る配管支持具の一実施例を示す分解斜視図、図２〜図５は図１に示す配管支持具の取付過程を示す要部説明図である。
【００１６】
図１に示す本発明の配管支持具１は、ヒンジ機構１５を介して連結された配管抱持部である一対の配管抱持バンド１１・１２の両端を延長した一対の支持片部１３・１４のうち一方の支持片部１１の透孔１６から掛止具３が挿通され、床や壁面等から立ち上げられるＴ足・ねじ足・割足・木ねじ・羽子板などと称される取付足の如き支持部材又は天井から吊り下げる上記取付足やターンバックル等の支持部材（本明細書においては単に支持部材という。）２の脚部２０に、他方の支持片部１４において固定される形式の配管支持具である。
【００１７】
脚部２０には支持片部１３の透孔１６と重合する位置に透孔２１が穿設されており、さらに他方の支持片部１４には透孔１６・２１に重合する位置に透孔１７が穿設されている。
【００１８】
掛止具３は、膨大、屈曲、打ち抜きのいずれかの方法或いはその他の方法により形成した突起状の引掛部３１を先端部分に有すると共に、軸部３２を介して回動可能に軸支された梃子操作部３３を後端部に有する。梃子操作部３３は、回動に伴って梃子作用が徐々に働くように該梃子操作部の根元部の円弧部分３４が基端から徐々に軸部３２からの距離が長く形成されている。
【００１９】
前記一対の支持片部１３・１４に穿設された透孔１６・１７は、前記掛止具３の引掛部３１を挿通可能であると共に掛止具３の向きを変えたときに該掛止具３の引掛部３１が引っ掛かる形状の少なくとも一部が拡大した異形孔に形成されている。
【００２０】
また支持部材２の脚部２０に穿設された透孔２１は、支持片部１３・１４の異形の透孔１６・１７と同形乃至は異形孔より大きく形成されている。
【００２１】
透孔１６・１７・２１の形状として、本実施例では、円形の一部の形状を、引掛部３１を挿通方向から正面視した際の形状である長方形に拡大した形状を採用している。
【００２２】
以上の構成を有する本発明に係る配管支持具１は、支持部材２の脚部２０に一方の配管抱持バンド１１の支持片部１３が、透孔２１に透孔１６が一致するように重合した後、掛止具３を支持片部１３側から透孔１６・２１に挿通する。このとき、掛止具３の先端部分の引掛部３１が透孔１６・２１の拡大部分に一致する向きにして挿通する。
【００２３】
透孔１６・２１に掛止具３を挿通した後、配管を配管抱持バンド１１・１２に抱持させ、他方の配管抱持バンド１２を閉じて支持片部１４を脚部２０に重合させながら掛止具３を透孔１７に挿通する（図２参照）。
透孔１７から掛止具３の引掛部３１が完全に突出したら、該掛止具３を回動し、透孔１７の縁部に引っ掛けることで逆戻り脱落を防止することができる（図３参照）。
【００２４】
図２に示すように掛止具３を透孔１６・２１・１７への挿通させ、図３に示すように挿通時とは異なる向きに回動させた後、図４に示すように掛止具３の後端部の梃子操作部３３を回動して梃子機能を作用させる。この回動に伴って、梃子操作部３３の根元部の円弧部分３４が支持片部１３表面に接触していき、梃子の原理により、図５に示すように脚部２０及び一対の支持片部１３・１４が挟着状態に、圧接されるように固定される。
【００２５】
以上の操作によって、配管を配管抱持バンドに抱持した状態で、ターンバックル等の支持部材の脚部に吊り下げ支持することができる。
本発明に係る配管支持具１及びその取付機構によれば、掛止具３による固定の際に手指やスパナ・レンチ・ペンチ等の工具もボルト・ナットから成る固定具も不要なので、作業が著しく容易である。
【００２６】
以上、本発明に係る配管支持具及び取付機構の代表的実施例について説明したが、本発明は上記に限定されず、例えば、下記するような他の態様を採ることもできる。
【００２７】
上記実施例では、一対の支持片部１３・１４と脚部２０を重合させたときに、透孔１６・１７と透孔２１とが同方向において重合するように形成されているが、配管抱持後に重合される支持片部１４の透孔１７のみ異なる向きに穿かれていてもよい。
即ち、掛止具３を支持片部１３の透孔１６と脚部２０の透孔２１に挿通した後、掛止具３を回動させることにより、該掛止具３は透孔１６・２１から脱落することはなくなるので、一方の支持片部１３を脚部２０に吊り下げた状態で且つ他方の支持片部１４を開放した状態で仮固定することができる。従って、配管を抱持させながら他方の支持片部１４を操作する際に、手指で一方の支持片部１３と脚部２０とを分離しないように抑える心配がなくなるので、安心した状態での配管抱持作業を行うことができる。尚、透孔１６・２１に挿通し回動した際の掛止具３の向きを、他方の支持片部１４の透孔１７に挿通できる向きにしておくと作業がより容易となり好ましい。
【００２８】
上記実施例では、透孔１６・２１・１７の形状として、円形に長方形を組み合わせた形状を採用しているが、本発明はこれに限定されず、掛止具３を挿通する際に挿通可能な大きさ及び形状を有し、且つ、挿通後、回動させた際に引掛部３１が引っ掛かり逆戻りが防止する形状であればよく、例えば、図６の（Ａ）〜（Ｃ）に示すような形状の透孔とすることもできる。図６において、挿通時の掛止具３の向き及び形状を一点鎖線Ａで示し、挿通後に回動した際の掛止具３の向き及び形状を二点鎖線Ｂで示す。
【００２９】
また、掛止具３及び引掛部３１の形状についても、挿通方向から正面視した際の形状を長方形とした上記実施例のものに限定されず、例えば、図７（Ａ）〜（Ｃ）に示すような三ツ矢形状、楕円形状、十字形状等、種々の形状を採用することができる。これらの掛止具３を挿通する透孔１６・２１・１７の形状も（ａ）〜（ｃ）に対応して示す。
【００３０】
さらに、掛止具３の構成についても、上記実施例の板材を加工したものに限定されず、丸棒や角棒等を曲げ形成したものでもよい。例えば、一端を梃子操作部３３とする丸棒の他端を屈曲して円弧部分３４を形成すると共に軸部３２の挿通部を形成したものや、或いは、丸棒や角棒等の一端を曲げ形成して引掛部３１を形成すると共に他端を軸部３２を軸支可能に屈曲して形成したものでもよい。
【００３１】
さらにまた、上記実施例では、掛止具３による固定が１本である吊りバンド形式に用いられる態様について説明したが、掛止具３が複数本である、いわゆる立てバンド形式についても包含されることは言うまでもない。
これらのバンド類は、実施例に示すヒンジ機構１５（蝶番式）に限らず、組式、提灯式、組式ローラ等であってもよいし、更にデップ構成（軟質塩化ビニルの如き樹脂をコーティングした構成）、防振構成であってもよく、更にはタン付き（タンバックル付き）の構成等であってもよい。材料についても金属製に限らずプラスチック製等であってもよい。
【００３２】
【発明の効果】
本発明によれば、使い勝手がよく片手による作業が容易である立てバンド形式又は吊りバンド形式の配管支持具及び取付機構を提供することができる。即ち、配管抱持バンドの支持片部の透孔と支持部材の脚部の透孔に、掛止具を挿通した後、該掛止具を回動することにより、該掛止具の逆戻り脱落が防止され、さらに掛止具の梃子操作部を回動して梃子機能を作用させることにより、脚部及び一対の支持片部が挟着状態に圧接されて固定することができる。
【図面の簡単な説明】
【図１】本発明に係る配管支持具の一実施例を示す分解斜視図
【図２】図１に示す配管支持具の取付過程を示す要部説明図
【図３】図１に示す配管支持具の取付過程を示す要部説明図
【図４】図１に示す配管支持具の取付過程を示す要部説明図
【図５】図１に示す配管支持具の取付過程を示す要部説明図
【図６】透孔の他の実施例を示す説明図
【図７】掛止具の他の実施例を示す説明図
【図８】従来の配管支持具を示す正面図
【符号の説明】
１  配管支持具
１１  配管抱持バンド
１１’  配管抱持バンド（従来の技術）
１２  配管抱持バンド
１２’  配管抱持バンド（従来の技術）
１３  支持片部
１３’  支持片部（従来の技術）
１４  支持片部
１４’  支持片部（従来の技術）
１５  ヒンジ機構
１５’  ヒンジ機構（従来の技術）
１６  透孔
１７  透孔
２  支持部材
２０  脚部
２１  透孔
３  掛止具
３１  引掛部
３２  軸部
３３  梃子操作部
３４  円弧部分
【図１】
0004643069.tif 000002
【図２】
0004643069.tif 000003
【図３】
0004643069.tif 000004
【図４】
0004643069.tif 000005
【図５】
0004643069.tif 000006
【図６】
0004643069.tif 000007
【図７】
0004643069.tif 000008
【図８】
0004643069.tif 000009